(57)【特許請求の範囲】
【請求項１】
基板上に導電性パターンセルを形成し、
前記導電性パターンセル上に絶縁層を形成し、
前記絶縁層上に黒色の導電材料を用いて前記導電性パターンセルを接続するブリッジ電極を形成し、
前記ブリッジ電極の形成時には、複数の導電材料を用いて複数の層で構成されるブリッジ電極を形成し、
前記ブリッジ電極の複数の層のうち、下部層は第１黒色の導電材料で形成し、上部層は第２黒色の導電材料で形成する
ことを特徴とするタッチパネルの電極パターンの製造方法。
【請求項２】
基板上の導電性パターンセルと、
前記導電性パターンセル上の絶縁層と、
黒色の導電材料を含み、前記絶縁層上で前記導電性パターンセルを接続するブリッジ電極と、
を含み、
前記ブリッジ電極は、複数の導電材料を用いて複数の層で形成され、
前記ブリッジ電極は、前記複数の層のうち、下部層は第１黒色の導電材料で形成され、上部層は第２黒色の導電材料で形成される
ことを特徴とするタッチパネルの電極パターン。
【発明の詳細な説明】
【技術分野】
【０００１】
本発明は、タッチパネルの電極パターン及びその製造方法に関し、特に、電極パターンを接続するブリッジ電極が形成されたタッチパネルの電極パターン及びその製造方法に関する。
【背景技術】
【０００２】
携帯端末(ＰＤＡ:ｐｅｒｓｏｎａｌ ｄｉｇｉｔａｌ ａｓｓｉｓｔａｎｔｓ)、ノートブック型パソコン、ＯＡ機器、医療機器、又はカーナビゲーションシステムなどの電子機器においては、これらのディスプレイに入力手段(ポインティングデバイス)を備えるためのタッチパネルが広く用いられている。代表的なタッチパネルには、抵抗膜方式、電磁誘導方式、光学式などの他、静電容量方式が知られている。
【０００３】
一般的に、静電容量方式は、アナログ方式とデジタル方式とに分けられる。
【０００４】
アナログ方式は、センサ電極がシート状の電極であって、感知領域内にパターンが必要ないのに対し、デジタル方式は、感知領域内にセンサ用電極のパターンが必要である。このようなデジタル方式において、容量方式タッチパネルは、タッチ位置の確認が可能な基本電流を誘導するために、人体の静電気と透明電極との間で誘発された容量の変化を採用する。このような人体、例えば、タッチパネル上の指又はタッチペンのタッチ位置を検出するために、種々の容量性タッチパネルに関する技術が開発されている。
【０００５】
一例として、特許文献１には、タッチセンサー面上のタッチ位置を検出するための格子タッチ感知システムが開示されている。格子タッチ感知システムは、例えば、絶縁材料により分離された２つの容量性感知層を含み、各層は実質的に平行な導電性要素で構成され、２つの感知層の導電性要素は互いに実質的に直交している。各要素は、細長い導電性長方形細片で結合された一連の菱形断片で構成されている。所与の感知層の各導電性要素は、一端又は両端で対応するリード線の組の１本のリード線に電気的に接続されている。制御回路をさらに含んでも良く、制御回路は、励磁信号を対応するリード線の組を介して導電性要素の両方の組に提供し、表面上にタッチが生じた時にセンサ要素により生成される感知信号を受け取り、各層の作用を受けたバーの位置に基づいてタッチの位置を決定する。
【０００６】
上記のような静電容量方式は、一般的に２つの容量性感知層を含む構成からなるが、２つの容量性感知層は、層間の容量性効果を実現するために、絶縁物質を用いて相互に空間を設けて形成される。しかしながら、このような構成により、パネルの構造が非常に厚くなり、結果的に小型化に逆行することになる。さらに、従来の容量性タッチパネルは、両表面上に２つの容量性感知層がそれぞれ形成されている基板を含む。このような点で、貫通孔がバイアスの役割をするように基板上に形成されなければならず、回路層が感知層の導体要素を適切に接続するために採用されなければならない。これは容量性タッチパネルの製造を困難かつ複雑にする。
【０００７】
そのため、このような問題点を解決するために、２つの容量性感知層を１つに減らすための技術が用いられている。
【０００８】
図１は、従来技術に係るタッチパネルの電極パターンを示す図であり、図２は、従来技術に係るタッチパネルの電極パターンを説明するための断面図である。図１及び図２を参照して従来のタッチパネル及び電極パターンを説明する。
【０００９】
図１及び図２（ａ）に示すように、基板１１０上に第１軸(Ｒｘ)導電性パターン１２０を形成し、第２軸(Ｔｘ)導電性透明パターンセル１３１を形成する。図２にこのような電極パターンの断面が示されている。
【００１０】
この時、第１軸導電性パターン１２０と第２軸導電性透明パターンセル１３１の形成方法としては、エッチング、スパッタリング、又はスクリーン印刷が用いられ、透明パターンの材料としては、一般的にＩＴＯ(Ｉnｄｉｕｍ-Ｔｉｎ Ｏｘｉｄｅ)が用いられる。
【００１１】
その後、図２（ｂ）に示すように、フォトレジスト(ＰＲ: Ｐｈｏｔｏ Ｒｅｓｉｓｔ)層１０を第２軸導電性透明パターンセル１３１上に形成した後、絶縁材料を塗布して絶縁材料塗布層４０を形成する。
【００１２】
次いで、フォトレジスト１０を除去して図２（ｃ）に示すように絶縁層５０を形成する。このように形成された絶縁層５０上にブリッジ電極９０を形成し、互いに離隔されていた第２軸(Ｔｘ)導電性透明パターンセル１３１を電気的に接続する。
【００１３】
しかしながら、従来のタッチパネルの電極パターンは、導電性透明パターンセル１３１を相互接続するブリッジ電極が、使用者の肉眼で見えるという問題が発生するため、ブリッジ電極の幅を１０μｍに形成し、それによる電気伝導度の問題によって金属を使用してブリッジ電極を構成したが、これも、金属と周辺のＬＣＤとの反射率と色の差によって肉眼で見えるという問題点があった。
【００１４】
なお、肉眼で見えるという問題を解決するために透明電極(ＩＴＯ)を活用する場合もあるが、この場合には、透明電極の伝導度の限界によって電極の幅を狭くする設計が不可能であり、ＩＴＯと金属を選択的にエッチングしなければならないため、追加工程が発生するという問題点があった。
【先行技術文献】
【特許文献】
【００１５】
【特許文献１】米国特許第６,９７０,１６０号公報
【発明の概要】
【発明が解決しようとする課題】
【００１６】
本発明は、上述した問題を解決するためになされたものであり、１つのフィルム上に導電性パターン(Ｒｘ、Ｔｘ)を形成する時に、導電性パターンセルを相互接続するブリッジ電極の電気伝導度を確保しながらも、使用者の肉眼でブリッジ電極が見えるという問題を解決するためのものである。
【課題を解決するための手段】
【００１７】
上述した問題を解決するための本発明の一実施例に係るタッチパネルの電極パターンの製造方法は、基板上に相互離隔された複数の導電性パターンセルを形成し、導電性パターンセル上に絶縁層を形成し、絶縁層上に黒色の導電材料を用いて導電性パターンセルを相互接続するブリッジ電極を形成することを特徴とする。
【００１８】
本発明の一実施例に係るタッチパネルの電極パターンは、基板上に相互離隔して形成される複数の導電性パターンセルと、導電性パターンセル上に形成される絶縁層と、黒色の導電材料を用いて絶縁層上に形成されて導電性パターンセルを相互接続するブリッジ電極と、を含む。
【発明の効果】
【００１９】
本発明によると、１つのフィルム上に導電性パターン(Ｒｘ、Ｔｘ)を形成する時に、導電性パターンセルを相互接続するブリッジ電極の電気伝導度を確保しながらも、使用者の肉眼でブリッジ電極が見えるという問題を解決することができる。
【００２０】
なお、本発明によると、別途の工程を追加することなく、金属のターゲット交替及びガスの作用のみでもブリッジ電極の色、明暗、そして反射率の制御が可能である。
【図面の簡単な説明】
【００２１】
【図１】従来技術に係るタッチパネルの電極パターンを示す図である。
【図２】従来技術に係るタッチパネルの電極パターンを説明するための断面図である。
【図３】本発明の一実施例に係るタッチパネルのパターン電極を示す図である。
【図４】本発明の一実施例に係るタッチパネルのパターン電極を示す図である。
【図５】本発明の一実施例に係るタッチパネルのパターン電極を形成する方法を説明するための断面図である。
【図６】本発明の一実施例に係るタッチパネルのパターン電極を形成する方法を説明するための断面図である。
【発明を実施するための形態】
【００２２】
以下、添付の図面を参照して本発明の一実施例について詳細に説明するが、本発明はこれらの実施例により限定されるものではない。
【００２３】
本発明の一実施例に係るタッチパネルの電極パターンを図３〜図６を参照して説明する。
【００２４】
図３及び図４は、本発明の一実施例に係るタッチパネルのパターン電極を示す図であり、図５及び図６は、本発明の一実施例に係るタッチパネルのパターン電極を形成する方法を説明するための断面図である。
【００２５】
図３でのＡ-Ａ'線の断面は図５に示されており、図４でのＡ-Ａ'線の断面は図６に示されている。
【００２６】
図３及び図５（ａ）に示すように、基板２００上に第１軸の方向(Ｒｘ)に連結された第１導電性パターン２２０を形成し、第２軸の方向(Ｔｘ)に互いに離隔されている第２導電性パターンセル２３１を形成する。
【００２７】
この時、第１導電性パターンセル２２１は、導電リード２２３により相互接続されており、第１導電性パターンセル２２１及び第２導電性パターンセル２３１、そして導電リード２２３は、ＩＴＯ、炭素ナノチューブ(ＣＮＴ： ｃａｒｂｏｎ ｎａｎｏ ｔｕｂｅ)、銀ナノ-ワイヤ、導電性ポリマー、又はグラフェン等で形成することができる。ここで、第１導電性パターン２２０と第２導電性パターン２３０とは、実質的に垂直となることが望ましいが、直角を除く角度で基板の表面に配列できることは明らかである。
【００２８】
その後、図５（ｂ）に示すように、第２導電性パターンセル２３１上にフォトレジスト(ＰＲ：Ｐｈｏｔｏ Ｒｅｓｉｓｔ)２４０を形成し、図５（ｃ）に示すように、絶縁材料を塗布して絶縁材料塗布層２５０を形成する。
【００２９】
次いで、フォトレジスト２４０を除去して図５（ｄ）のように第１導電性パターン連結部２２３上に絶縁層２５１を形成する。
【００３０】
その次、図５（ｅ）のように、第２導電性パターンセル２３１を接続する部分を除いた他の部分にフォトレジスト２６０を形成し、図５（ｆ）のように、その上に導電材料を塗布して導電材料塗布層２７０を形成する。
【００３１】
その後、図５（ｇ）のように、フォトレジスト２６０を除去してブリッジ電極２７１を形成する。
【００３２】
一般的に、ＬＣＤは、オフ時に黒色で表示され、それによりブリッジ電極２７１がＬＣＤとの反射率と色の差によって肉眼で見えるという問題点がある。
【００３３】
しかしながら、本発明によると、ブリッジ電極２７１を黒化して色相、明度又は反射率を調節することができる。
【００３４】
即ち、本発明によると、ブリッジ電極２７１をＡｌ、Ａｕ、Ａｇ、Ｓｎ、Ｃｒ、Ｎｉ、Ｔｉ又はＭｇなどの金属を材料として用いて構成し、薬品との反応により金属酸化物、窒化物、フッ化物などで黒化させる。このような黒化はガス及び薬品の含有量により色相、明度又は反射率を調節することができる。 
【００３５】
この時、ブリッジ電極２７１の色相、明度又は反射率の調節は、基板２００、導電性パターンセル２２１、２３１又は絶縁層２５１の色相、明度又は反射率と同一に調節することが望ましい。
【００３６】
このようにブリッジ電極２７１を金属で形成して黒化する場合には、金属又はガスの交替のみで調節が可能であるので、別途の追加工程が必要ないという利点がある。
【００３７】
又、他の実施例として、図４及び図６に示すように、上述のように黒化した金属で構成されるブリッジ電極２７１の上部に金属層２７２をさらに蒸着又は塗布して電気伝導度を確保することができる。
【００３８】
このような金属層２７２は、上述のような金属の黒化処理後に一定以上の電気伝導度が維持されない場合に電気伝導度を確保するために形成する。例えば、下部層のブリッジ電極２７１を第１黒色、上部層の金属層２７２を第２黒色で形成することができる。
【００３９】
さらに、本発明のさらに他の実施例によると、ブリッジ電極２７１を黒色系の導電性物質を用いて形成することもできる。
【００４０】
例えば、ブリッジ電極２７１を炭素ナノチューブのようなナノ合成体を用いて形成することにより、黒色で構成されるようにする。このようにブリッジ電極２７１を炭素ナノチューブのようなナノ合成体で構成すると、ナノパウダーの含有量の制御により電気伝導度を確保しながらも、ブリッジ電極２７１の色と反射率の制御が可能であるという利点がある。
【００４１】
したがって、本発明によると、ブリッジ電極の電気伝導度を確保しながらも、使用者の肉眼でブリッジ電極が見えるという問題を解決することができる。
【００４２】
ここからは、図３、図５（ｇ）及び図６を参考して本発明の一実施例に係るタッチパネルにおける電極パターンの構成を説明する。
【００４３】
本発明の一実施例に係るタッチパネルの電極パターンは、基板上に相互離隔して形成される第２導電性パターンセル２３１と、第２導電性パターンセル２３１上に形成される絶縁層２５１と、黒色の導電材料を用いて絶縁層２５１上に形成されて第２導電性パターンセル２３１を相互接続するブリッジ電極２７１と、を含んで構成される。
【００４４】
図３に示すように、第１導電性パターンセル２２１は、基板上に第１軸の方向に配列され、第１軸の方向に導電リード２２３により相互接続され、第２導電性パターンセル２３１は、図３に示すように、基板２００上に第２軸の方向に配列される。
【００４５】
絶縁層２５１は、オフセット又はインクジェット工程により第１導電性パターンセル２２１を相互接続する導電リード２２３と第２導電性パターンセル２３１の上部に配置される。
【００４６】
ブリッジ電極２７１は、第２導電性パターンセル２３１を相互接続するように構成され、金属材料を黒化処理した金属酸化物、窒化物、フッ化物又は炭素ナノチューブで形成され、この時、基板２００、導電性パターンセル又は絶縁層２５１の明度と同一の明度で黒化処理して形成することができる。また、金属材料としては、Ａｌ、Ａｕ、Ａｇ、Ｓｎ、Ｃｒ、Ｎｉ、Ｔｉ又はＭｇが用いられる。
【００４７】
さらに、本発明の又他の実施例に係るタッチパネルの電極パターンは、図６に示すように、複数の導電材料を用いて複数の層で形成することもできる。
【００４８】
即ち、図６に示すように、ブリッジ電極は、複数の層のうち下部層２７１は黒色の導電材料で形成し、上部層２７２は金属を蒸着又は塗布して形成することができる。又、これとは異なり、ブリッジ電極の複数の層のうち下部層２７１は第１黒色の導電材料で形成し、上部層２７２は第２黒色の導電材料で形成することができる。
【符号の説明】
【００４９】
２００    基板
２２０    第１導電性パターン
２２１    第１導電性パターンセル
２２３    導電リード
２３１    第２導電性パターンセル
２４０    フォトレジスト
２５０    絶縁材料塗布層
２５１    絶縁層
２６０    フォトレジスト
２７０    導電材料塗布層
２７１    ブリッジ電極
２７２    金属層
【図１】
0005749704.tif 000002
【図２】
0005749704.tif 000003
【図３】
0005749704.tif 000004
【図４】
0005749704.tif 000005
【図５】
0005749704.tif 000006
【図６】
0005749704.tif 000007